(57)【要約】【課題】温暖水域と寒冷地域との間を航行する船舶の機関室内を効率的に換気する装置を提供する。【解決手段】  ファンルーム３の内部に開口４を有するデッキ５を配置して上部区画６と下部区画７とを形成し、前記上部区画６を形成する内壁（Ａ）１１にヒータ１２を配置し、下端部が機関室１４内に開口し、かつ通風機１５を有する吸気ダクト１３の上端部を前記下部区画７内に開口するように取り付けるとともに、前記ヒータ１２の取り付け位置の近傍に開閉扉２２を有する通風口２１を設けた船舶の機関室への通風装置。【選択図】図４
2008254470.tif 000002
【特許請求の範囲】
【請求項１】
ファンルームの内部に開口を有するデッキを配置して上部区画と下部区画とを形成し、前記上部区画を形成する側壁にヒータを配置し、下端部が機関室内に開口し、かつ通風機を有する吸気ダクトの上端部を前記下部区画内に開口するように取り付けるとともに、
前記側壁であってかつ前記ヒータの取り付け位置の近傍に開閉扉を有する通風口を設けたことを特徴とする船舶の機関室への通風装置。
【請求項２】
ファンルームの内部に開口を有するデッキを配置して上部区画と下部区画とを形成し、前記上部区画を形成する側壁に出力制御装置を有するヒータを配置し、下端部が機関室内に開口し、かつ通風機を有する吸気ダクトの上端部を前記下部区画内に開口するように取り付けるとともに、前記側壁であってかつ前記ヒータの近傍に開閉扉を有する通風口を設け、前記ファンルームの外部に温度計を取り付け、前記温度計の信号により前記出力制御装置を操作して前記ヒータの加熱温度を制御するようにしたことを特徴とする船舶の機関室への通風装置。
【請求項３】
通風口がヒータの両側にそれぞれ少なくとも１つ設けられてなる請求項１又は２記載の船舶の機関室への通風装置。
【発明の詳細な説明】
【技術分野】
【０００１】
本発明は、船舶の機関室への通風装置、より詳しくは、寒冷水域と温暖水域とを航行する船舶の機関室へ外気を通風するようにした船舶の機関室への通風装置に関するものである。
【背景技術】
【０００２】
最近、世界的なエネルギー需要の拡大から寒冷地域での油田やガス田が開発され、その結果、この寒冷地の海域から需要地の温暖水域にこの油やガスを輸送する船舶が建造されている。
【０００３】
ところで、一般に比較的大型の船舶においては、機関室内に燃焼用の空気や換気用の空気が通風装置によって取り込まれかつ排出されるようになっている。すなわち、船舶の機関室には主機や補機としてのディーゼル機関やボイラなどの燃焼機関が配置されているためこの燃焼機関に燃焼用空気を供給するとともに、これら燃焼機関から発生する熱を除去して機関室内を所定の温度に保つため外気を通風する装置が設けられる。
【０００４】
そして、従来、寒冷水域と温暖水域とを航行する船舶の機関室へ外気を通風するようにした船舶の機関室への通風装置にはヒータが配置されている。
【０００５】
より詳しく説明すれば、この船舶の機関室への通風装置は、図５及び図６に示されるように、船舶１のエンジンルーム２内にファンルーム３を設け、このファンルーム３の内部に開口４を有するデッキ５を配置して上部区画６と下部区画７とを形成し、上部区画６の側壁８を開口９を有する内壁Ａ１０と内壁Ｂ１１とにより形成し、この内側Ｂ１１にヒータ１２（スチームエアヒーター）を配置し、下端部１３ａが機関室１４内に開口し、かつ通風機１５を有する吸気ダクト１３の上端部１３ｂを前述した下部区画７内に開口するように取り付けて構成されている。また、船底部にある機関室１４内には、主機１６、ボイラ１７や発電機１８などが配置され、また、通風室２０の窓にはルーバー１９が設けられている。
【０００６】
そして、このように構成された船舶の機関室への通風装置において、船舶１が温暖水域を航行するときは外気Ｇの温度が高いため、ヒータ１２の稼動を停止して通風機１５により外気を機関室１４内に送りこむ。そして、寒冷水域を航行するときは、ヒータ１２で冷たい外気Ｇを加熱して通風機１５を介して機関室１４内に供給し、各燃焼機関に加熱された空気を給気して燃焼効率の向上を計るとともに機関室１４内の温度を調整している。
【０００７】
特に、氷海域を航行する船舶において、機関室内の過冷却による凍結などの低温障害を防止し、かつ、機関室内の温度を有効に再利用することができる機関室への通風装置について特許文献１が提案されている。
【特許文献１】特開２００３−２５２２９５号
【発明の開示】
【発明が解決しようとする課題】
【０００８】
前記のように図示して説明したような従来の船舶の機関室１４への通風装置においては、ヒータ１２が大型で、しかも大風量の通風機１５を必要とするため装置の設備費が高くなるばかりでなく、特に、前記通風機１５の運転費用が高くなるという問題があった。
【０００９】
すなわち、通常このような船舶１においては、機関室１４に通風される外気Ｇは、燃焼用として利用される量よりも機関室１４内などの換気に用いられる量の方が多い。そして、特に温暖海域を航行する場合は、外気温度と機関室１４内の温度差の関係から多量の外気Ｇを換気用として通風する必要があった。そのため、ヒータ１２や通風機１５に大容量のものを使用して外気Ｇを通風するように構成しなければならず、その結果、通風装置の製作コストと、その運転費用が高くなるという問題があった。
【００１０】
また、特許文献１に記載された装置は、通風ダクトの外気取り入口部に、機関室の上室部に開口する機関室内空気取り入れ口を分岐して設け、該機関室内空気取り入れ口にダンパーを設けると共に、機関室に温度センサーを配置し、該温度センサーから温度信号を入力され、これを演算して制御信号を前記ダンパーの制御部に入力する演算制御装置を備え、機関室内の温度によりダンパーの開度を調節して取り入れ外気に機関室内の空気を混合して通風するように構成している。
【００１１】
確かに、特許文献に記載された通風装置は、氷海域のみを航行する船舶には適用できる装置ではあるが、赤道下の海域を通過し、氷海域まで航行し、その逆を航行する船舶においては、前記装置を使用する機会が少なく、その上に特別で高価な設備を必要とするなどの問題があり、一般には使用することができない。
【００１２】
また、機関室の温度が主機、ボイラの負荷により変化するために、外気温でダンパーを制御することは困難を伴うという問題がある。
【課題を解決するための手段】
【００１３】
本発明は、前記したような問題点を解決するためになされたものであって、
【００１４】
１）第１の発明は、ファンルーム３の内部に開口４を有するデッキ５を配置して上部区画６と下部区画７とを形成し、上部区画６を形成する側壁１１にヒータ１２を配置し、下端部が機関室１４内に開口しかつ通風機１５を有する吸気ダクト１３の上端部を下部区画７内に開口するように取り付けるとともに、側壁１１であってかつヒータ１２の近傍に開閉扉２１を有する通風口２２を設けたことを特徴としている。
【００１５】
２）また、第２の発明は、ファンルーム３の内部に開口４を有するデッキ５を配置して上部区画６と下部区画７とを形成し、上部区画６を形成する側壁に出力制御装置を設けたヒータ１２を配置し、下端部が機関室内に開口し、かつ通風機１５を有する吸気ダクトの上端部を下部区画７内に開口するように取り付けるとともに、側壁１１であって、かつヒータ１２の取り付け位置の近傍に、開閉扉２２を有する通風口２１を設け、ファンルーム３の外部に温度計２８を取り付け、この温度計２８の信号により出力制御装置を操作してヒータ１２の加熱温度を制御するようにしたことを特徴としている。
【００１６】
３）そして、第３の発明は、通風口がヒータの両側にそれぞれ少なくとも１つ設けられた船舶の機関室への通風装置である。
【発明の効果】
【００１７】
以上説明したような本発明による船舶の機関室への通風装置によれば、次のような効果がある。
【００１８】
すなわち、第１の発明によれば、ファンルームの内部に開口を有するデッキを配置して上部区画と下部区画とを形成し、上部区画を形成する側壁にヒータを配置し、下端部が機関室内に開口しかつ通風機を有する吸気ダクトの上端部を下部区画内に開口するように取り付けるとともに側壁であってかつヒータの取り付け近傍に開閉扉を有する通風口を設けている。
【００１９】
従って、ａ）船舶が寒冷水域を航行するときは、この開閉扉を閉じて必要とする外気の全量をヒータで加熱する。ｂ）そして船舶が温暖海域を航行するときは、この開閉扉を開放して必要とする外気の殆どの通風口を経てそれぞれ機関室に通風することができるためヒータ及び通風機を小型化することができる。
【００２０】
その結果、船舶の機関室への通風装置を安価に製作することができるばかりでなくその運転費用も安くなるのである。
【００２１】
また、第２の発明によれば、ファンルームの内部に開口を有するデッキを配置して上部区画と下部区画とを形成し、上部区画を形成する側壁に出力制御装置を設けたヒータを配置し、下端部が機関室内に開口しかつ通風機を有する吸気ダクトの上端部を下部区画内に開口するように取り付けるとともに側壁であってかつヒータの近傍に開閉扉を有する通風口を設け、ファンルームの外部に温度計を取り付け、この温度計の信号により出力制御装置を操作してヒータの加熱温度を制御するように構成している。
【００２２】
従って、寒冷海域の外気温度の変化に係わらずほぼ均一な温度で通風することがでる。その結果、その運転費用もより一層安価にすることができる。
【００２３】
さらに、第３の発明によれば、通風口がヒータの両側にそれぞれ少なくとも１つ設けられているため、特に船舶が温暖海域を航行する場合の外気の流れは通風機に供給されるため、船舶の機関室への通風装置を安価に製作することができるばかりでなくその運転費用をさらに一層安することができる。
【発明を実施するための最良の形態】
【００２４】
以下図１〜図４を参照して本発明による船舶の機関室への通風装置の実施態様を説明する。
【００２５】
図１は、本発明による船舶の機関室への通風装置の主要部をなすファンルーム３の平面図であり、図２は、図１のＢ―Ｂ矢視図、そして図４は、本発明の構成要素を理解し易く描いたファンルームの斜視図である。また、これらの図において前記図５及び図６で使用した同一の符号は同一名称を示している。
【００２６】
この図１〜図４において、通風室２０の奥側に配置された内壁（Ｂ）１１に取り付けられたヒータ１２の両側には通風口２１ａ、２１ｂが開口され、この通風口２１ａ、２１ｂをそれぞれ開閉する開閉扉２２ａ、２２ｂが蝶番により取り付けられている。もちろんこの開閉扉２２ａ、２２ｂは、必要により引き戸式（スライド機構）とすることもでき、そしてロック機構が設けてあり、このロック機構により開閉扉２２ａ、２２ｂは、開放状態あるいは閉鎖状態で内壁（Ａ）１１に強固に固定されるようになっている。
【００２７】
この開閉扉２２ａ、２２ｂを有する通風口２１ａ、２１ｂは、その形成される位置や個数は適宜選択されるが、外気Ｇの抵抗などから前記実施態様の如くヒータ１２の両側にそれぞれ一つ設けるのが好ましい。
【００２８】
このような構成による船舶の機関室１４への通風装置において、船舶１が、「寒冷水域」を航行するときは、開閉扉２２ａ、２２ｂにより通風口２１ａ、２１ｂをそれぞれ閉鎖し、ヒータ１２と通風機１５を稼動させることにより、外気Ｇは、ルーバ−１９、通風室２０、開口９を経て次の内壁（Ｂ）１１に設けてあるヒータ１２に達し、ここで加熱されデッキ５の開口４、吸気ダクト１３を経て機関室１４に通風されることになる。
【００２９】
一方、船舶１が、「温暖海域」を航行するときは、ヒータ１２を停止するとともに開閉扉２２ａ、２２ｂを開放すると共に通風機１５を駆動する。すると外気Ｇは、ルーバー１９、通風室２０を経てその殆んどが通風口２１ａ、２１ｂから、更にその一部がヒータ１２を経てそれぞれ開口４から吸気ダクト１３に至り、ここから機関室１４内に通風されることとなる。
【００３０】
したがって、温暖海域を航行する場合の大量の外気Ｇは通風口２１ａ、２１ｂを経て機関室１４内に供給されるため、ヒータ１２および通風機１５を小型化できるのである
【００３１】
図３は、本発明による船舶の機関室１４への通風装置の他の実施態様を示すものであって、この図３において２３は、ヒータ１２に併設された制御装置であって、この制御装置２３は、演算器２４と比較器２５と制御信号作成器２６と記憶装置２７とにより構成されている。そして、２８は、ファンルーム３の外側に取り付けられた温度計であり、この温度計２８の信号Ｖ１が制御装置２３の演算器２４に入力されるようになっている。
【００３２】
このような構成において、外気Ｇの温度ｔ１をこの温度計２８により計測し、その信号Ｖ１を演算器２４に入力してその熱量が求められ、そしてその信号Ｖ２が比較器２５に入力され、ここで予め記憶装置２７に入力されている所定の熱量の信号Ｖ３と比較され、そして、この所定の熱量と計測された熱量とに差が生じた時は、信号Ｖ４が制御信号作成器２６に導かれ、ここで制御信号Ｖ５が作成される。そして、この制御信号Ｖ５によりヒータ１２の出力を制御する。具体的には、ヒータ１２がスチームを用いたものであれば、スチームを供給する管路に設けたバルブ２９の開閉を制御することになる。
【００３３】
したがって、船舶１が「寒冷海域」を航行する場合に於いてもその外気Ｇの温度に対応した熱量によりこれを加熱することができるため、効率的な機関室１４への通風が可能となるのである。
【図面の簡単な説明】
【００３４】
【図１】本発明による船舶の機関室への通風装置の主要部をなすファンルームの平面図である。
【図２】図１のＢ―Ｂ矢視図（正面図）である。
【図３】本発明による船舶の機関室への通風装置の他の実施態様の説明図である。
【図４】本発明の通気装置の斜視図である。
【図５】従来の船舶の機関室への通風装置を装備した船舶の一部概略側面図である。
【図６】船舶の機関室への通風装置の主要部をなすファンルームの平面図である。
【符号の説明】
【００３５】
１  船舶
２  上甲板
３  ファンルーム
４、９  開口
５  デッキ
６  上部区画
７  下部区画
８  側壁
１０  内壁（Ａ）
１１  内壁（Ｂ）
１２  ヒータ
１３  吸気ダクト
１４  機関室
１５  通風機
１６  主機
１７  ボイラ
１８  発電機
２０  通風室
２１ａ、２１ｂ  通風口
２２ａ、２２ｂ  開閉扉
【図１】
2008254470.tif 000003
【図２】
2008254470.tif 000004
【図３】
2008254470.tif 000005
【図４】
2008254470.tif 000006
【図５】
2008254470.tif 000007
【図６】
2008254470.tif 000008